(57)【特許請求の範囲】
【請求項１】
扉取付部材の天板下面または底板上面に当接状態で取着される取着板部と、この取着板部に連設された連設部と、当該連設部の前面側にあって前記した天板下面または底板上面に対して、扉取付部材の扉側へ向け平行状態にて、スライドヒンジ本体が連着自在である横向連着用板部とを具備し、この横向連着用板部には連着用螺子が螺装されていることを特徴とするスライドヒンジの座金。
【請求項２】
扉取付部材の天板下面または底板上面に当接状態で取着される第１、第２取着板部により取着板部を形成し、これら第１、第２取着板部から夫々曲設された各第１、第２脚板部と、これら各第１、第２脚板部の各端部に跨装された連設板部とにより連設部を形成し、当該連設板部の前面側には、前記天板下面または底板上面に対して、扉取付部材の扉側へ向け平行状態にて、スライドヒンジ本体に連着自在である横向連着用板部を設けると共に、当該横向連結用板部には連着用螺子が螺装されていることを特徴とするスライドヒンジの座金。
【請求項３】
扉取付部材の天板下面に当接状態で取着される取着板部の第１、第２取着板部には夫々第１、第２取着用孔を設け、これら第１、第２取着板部から扉取付部材の扉側と奥側にあって夫々曲設された第１、第２脚板部の下端前面側には、第１、第２連装用突板部を形成し、これら第１、第２脚板部と第１、第２連装用突板部との各下端には連設板部を跨設することで連設部が形成され、当該連設板部と第１、第２連装用突板部の前面側には、前記天板下面に対して、扉取付部材の扉側へ向けて平行状態にて、スライドヒンジ本体のコ字状内嵌凹部に嵌合して連着自在である横向連着用板部を設けると共に、当該横向連着用板部には、扉取付部材の奥側における滑り止め面にあって螺合された固定螺子と、扉側にあって螺合された扉幅員方向調整螺子とによる連着用螺子が螺装されていることを特徴とするスライドヒンジの座金。
【請求項４】
扉取付部材の底板上面に載接状態で取着される取着板部の第１、第２取着板部には夫々第１、第２取着用孔を設け、これら第１、第２取着板部から扉取付部材の扉側と奥側にあって夫々曲設された第１、第２脚板部の上端前面側には、第１、第２連装用突板部を形成し、これら第１、第２脚板部と第１、第２連装用突板部との各上端には連設板部を跨設することで連設部が形成され、当該連設板部と第１、第２連装用突板部の前面側には、前記底板上面に対して、扉取付部材の扉側へ向けて平行状態にて、スライドヒンジ本体のコ字状内嵌凹部に嵌合して連着自在である横向連着用板部を設けると共に、当該横向連着用板部には、扉取付部材の奥側における滑り止め面にあって螺合された固定螺子と、扉側にあって螺合された扉幅員方向調整螺子とによる連着用螺子が螺装されていることを特徴とするスライドヒンジの座金。
【請求項５】
扉取付部材の天板下面または底板上面に当接状態で取着される取着板部と、この取着板部に連設された連設部と、当該連設部の前面側にあって前記した天板下面または底板上面に対して、扉取付部材の扉側へ向けて所定の上昇傾斜角をもって、スライドヒンジ本体が連着自在である傾斜連着用板部とを具備し、この傾斜連着用板部には連着用螺子が螺装されていることを特徴とするスライドヒンジの座金。
【請求項６】
扉取付部材の天板下面または底板上面に当接状態で取着される第１、第２取着板部により取着板部を形成し、これら第１、第２取着板部から夫々曲設された短脚、長脚板部と、これら短脚、長脚板部の各端部に跨装された連設板部とにより連設部を形成し、当該連設板部の前面側には、前記天板下面または底板上面に対して、扉取付部材の扉側へ向け所定の上昇傾斜角をもって、スライドヒンジ本体に連着自在である傾斜連着用板部を設けると共に、当該傾斜連結用板部には連着用螺子が螺装されていることを特徴とするスライドヒンジの座金。
【請求項７】
扉取付部材の天板下面に当接状態で取着される取着板部の第１、第２取着板部には夫々第１、第２取着用孔を設け、これら第１、第２取着板部から扉取付部材の扉側と奥側にあって夫々曲設された短脚、長脚板部の下端前面側には、第１、第２連装用突板部を形成し、これら短脚、長脚板部と第１、第２連装用突板部との各下端には連設板部を跨設することで連設部が形成され、当該連設板部と第１、第２連装用突板部の前面側には、前記天板下面に対して、扉取付部材の扉側へ向けて所定の上昇傾斜角をもって、スライドヒンジ本体のコ字状内嵌凹部に嵌合して連着自在である傾斜連着用板部を設けると共に、当該傾斜連着用板部には、扉取付部材の奥側における滑り止め面にあって螺合された固定螺子と、扉側にあって螺合された扉幅員方向調整螺子とによる連着用螺子が螺装されていることを特徴とするスライドヒンジの座金。
【請求項８】
扉取付部材の底板上面に載接状態で取着される取着部材の第１、第２取着板部には夫々第１、第２取着用孔を設け、これら第１、第２取着板部から扉取付部材の扉側と奥側にあって夫々曲設された長脚、短脚板部の上端前面側には、第１、第２連装用突板部を形成し、これら短脚、長脚板部と第１、第２連装用突板部の各上端には連設板部を跨設することで連設部が形成され、当該連設板部と第１、第２連装用突板部の前面側には、前記底板上面に対して、扉取付部材の扉側へ向けて所定の上昇傾斜角をもって、スライドヒンジ本体のコ字状内嵌凹部に嵌合して連着自在である傾斜連着用板部を設けると共に、当該傾斜連着用板部には、扉取付部材の奥側における滑り止め面にあって螺合された固定螺子と、扉側にあって螺合された扉幅員方向調整螺子とによる連着用螺子が螺装されていることを特徴とするスライドヒンジの座金。
【発明の詳細な説明】
【０００１】
【発明の属する技術分野】
本発明は扉取付部材の開口部が通常の通り鉛直状に形成されている場合と、底板から天上板に向けて後退するように傾斜して形成され、当該扉取付部材と扉の各１側部間にスライドヒンジを跨装連枢することで、上記の扉がその自重により閉扉動して開口部を自動閉扉するようにした場合の扉開閉装置にあって、上記スライドヒンジにおけるスライドヒンジ本体を扉取付部材に対し夫々平行状または傾斜状となるよう連着するため、予め扉取付部材の適所に螺子止め手段等により取着することになるスライドヒンジ用の座金に関するものである。
【０００２】
【従来の技術】
上記のような扉開閉装置にあって、スライドヒンジ本体をビス等により連着することになる従来の座金は、扉取付部材の側板内面に固設するようにしており、かつ単に直方体状等に形成しただけのものであるため、扉に対する保持強度が弱く充分な耐久性を確保することができず、さらに扉を自重により閉扉動させる必要のある場合には、当該座金を扉取付部材の側板内面にあって水平状態に取着するのではなしに、扉側に向けて所定の上昇傾斜角度となるようにして、止め螺子等によって取着しなければならない。このため当該上昇傾斜角度が得られるための割り出し作業を行った上で、正確に螺子止めするといった作業が要求されることになり、この結果可成りの作業時間と労力を費やすこととなるだけでなく、当該作業に誤りがあった場合の是正には、単なるやり直し作業でなく、止め螺子孔の補修作業を必要とする難点がある。
【０００３】
【発明が解決しようとする課題】
本発明は上記した従来の座金に内在する欠陥に鑑み検討されたもので、先ず請求項１にあっては、スライドヒンジの座金につき、その取着箇所を扉取付部材における側板内面に選定するのではなしに、天板下面と底板上面に取着可能とすることによって、座金の扉等に基づく外力に対する取着強度を強化し、扉の耐久性を改善しようとしている。
【０００４】
次に請求項２にあっては、前記した請求項１の構成に関し、その取着板部を第１、第２取着板部により形成し、前記の連設部も一対の脚板部および連設板部とにより形成し、当該連設部の前面側に横向連着用板部を設けるよう構成することで、請求項１と同様の目的を達成すると共に、軽量に製作することをも可能として取着作業における使い勝手をよくしようとしている。
【０００５】
さらに請求項３にあっては、天板下面に取着するための座金に関し、ここでは第１取着板部と第２取着板部から第１、第２脚板部を曲設し、しかも第１、第２脚板部の下端から前面側へ突設した第１、第２連装用突板部に、横向連着用板部を形成することで、スライドヒンジ本体のコ字状内嵌凹所に当該横向連結用板部が嵌合するようにして、座金とスライドヒンジ本体との連着強度を向上させ、さらに横向連着用板部の扉取付部材における奥側にあって滑り止め面を形成し、ここに連着用螺子を螺装することで、スライドヒンジ本体との取着状態を強固なものにて請求項１の目的をより確実に達成し得るようにしている。
【０００６】
そして請求項４では、前記した底板上面に取着するための座金に関し、ここでは請求項３における座金を上下反転配置として、これを同じ要領でスライドヒンジ本体のコ字状内嵌凹所に嵌合することとなるが、請求項３における横向連着用板部とは反対側にあって、滑り止め面を施すようにし、このことで前記した請求項３と同等の作用効果を発揮可能とするのがその目的である。
【０００７】
請求項５以下にあっては、上記した請求項１ないし請求項４と同じく扉取付部材における側板内面に取着する座金の既成観念を排し、取着板部を天板下面か底板上面に取着するだけでなく、当該取着板部に連設部を介して傾斜連着用板部を形成することにより、座金を取着するだけで労せずして所定の上昇傾斜角度にて配設され得るよう構成するのである。
かくして、請求項５によるときは、座板の上昇傾斜角度については全く意を払うことなしに、スライドヒンジ本体と整合する位置となるよう天板下面や底板上面に配装取着でき、上記の傾斜連着板部に設けた連着用螺子によって、当該スライドヒンジ本体との連着を行うだけで作業を完結可能とし、かくてこの種の取着作業につき飛躍的な作業効率の向上を可能にしようとするのが、その目的である。
【０００８】
次に請求項６にあっては、前記した請求項５の構成に関し、その取着板部を第１、第２取着板部により形成し、前記の連設部も短脚、長脚板部および連設板部とにより形成し、当該連設部の前面側に傾斜連着用板部を設けるよう構成することで、請求項５と同様の目的を達成すると共に、軽量に製作することをも可能として取着作業における使い勝手をよくしようとしている。
【０００９】
次に請求項７にあっては、天板下面に取着するための斜着用の座金に関し、ここでは第１取着板部から短脚板部を、第２取着板部から長脚板部を夫々曲設し、しかも短脚、長脚板部の下端から前面側へ突設した第１、第２連装用突板部に、傾斜連着用板部を形成することで、スライドヒンジ本体のコ字状内嵌凹所に当該傾斜連結用板部が嵌合するようにして、斜着用の座金とスライドヒンジ本体との連着強度を向上させ、さらに傾斜連着用板部の扉取付材における奥側にあって滑り止め面を形成し、ここに連着用螺子を螺装することで、スライドヒンジ本体との取着状態を強固なものにて請求項５の目的をより確実に達成しようとしている。
【００１０】
さらに請求項８では、前記した底板上面に取着するための斜着用である座金に関し、ここでは請求項７における斜着用の座金を上下反転配置として、これを同じ要領でスライドヒンジ本体のコ字状内嵌凹所に嵌合することとなるが、請求項７における傾斜連着用板部とは反対側にあって、滑り止め面を施すようにし、このことで前記した請求項３と同等の作用効果を発揮可能とするのがその目的である。
【００１１】
【課題を解決するための手段】
本願請求項１では、上記の目的を達成するため扉取付部材の天板下面または底板上面に当接状態で取着される取着板部と、この取着板部に連設された連設部と、当該連設部の前面側にあって前記した天板下面または底板上面に対して、扉取付部材の扉側へ向け平行状態にて、スライドヒンジ本体が連着自在である横向連着用板部とを具備し、この横向連着用板部には連着用螺子が螺装されていることを特徴とするスライドヒンジの座金を提供しようとしている。
【００１２】
次に請求項２にあっては扉取付部材の天板下面または底板上面に当接状態で取着される第１、第２取着板部により取着板部を形成し、これら第１、第２取着板部から夫々曲設された第１、第２脚板部と、これら第１、第２脚板部の各端部に跨装された連設板部とを形成し、当該連設板部の前面側には、前記天板下面または底板上面に対して、扉取付部材の扉側へ向け平行状態にて、スライドヒンジ本体に連着自在である横向連着用板部を設けると共に、当該横向連結用板部には連着用螺子が螺装されていることを特徴とするスライドヒンジの座金を提供しようとしている。
【００１３】
さらに請求項３の場合には扉取付部材の天板下面に当接状態で取着される第１、第２取着板部には夫々第１、第２取着用孔を設け、これら第１、第２取着板部から扉取付部材の扉側と奥側にあって夫々曲設された各脚板部の下端前面側には、第１、第２連装用突板部を形成し、これら各脚板部の各下端には連設板部がを跨設することで連設部が形成され、当該連設板部と第１、第２連装用突板部の前面側には、前記天板下面に対して、扉取付部材の扉側へ向けて平行状態にて、スライドヒンジ本体のコ字状内嵌凹部に嵌合して連着自在である横向連着用板部を設けると共に、当該横向連着用板部には、扉取付部材の奥側における滑り止め面にあって螺合された固定螺子と、扉側にあって螺合された扉幅員方向調整螺子とによる連着用螺子が螺装されていることを、その内容としている。
【００１４】
そして請求項４では扉取付部材の底板上面に載接状態で取着される取着板部の第１、第２取着板部には夫々第１、第２取着用孔を設け、これら第１、第２取着板部から扉取付部材の扉側と奥側にあって夫々曲設された第１、第２脚板部の上端前面側には、第１、第２連装用突板部を形成し、これら第１、第２板部と第１、第２連装用突板部の各上端には連設板部を跨設することで連設部が形成され、当該連設板部と第１、第２連装用突板部の前面側には、前記底板上面に対して、扉取付部材の扉側へ向けて平行状態にて、スライドヒンジ本体のコ字状内嵌凹部に嵌合して連着自在である横向連着用板部を設けると共に、当該横向連着用板部には、扉取付部材の奥側における滑り止め面にあって螺合された固定螺子と、扉側にあって螺合された扉幅員方向調整螺子とによる連着用螺子が螺装されていることを、その内容としている。
【００１５】
請求項５では扉取付部材の天板下面または底板上面に当接状態で取着される取着板部と、この取着板部に連設された連設部と、当該連設部の前面側にあって前記した天板下面または底板上面に対して、扉取付部材の扉側へ向けて所定の上昇傾斜角をもって、スライドヒンジ本体が連着自在である傾斜連着用板部とを具備し、この傾斜連着用板部には連着用螺子が螺装されていることを特徴とするスライドヒンジの座金。
【００１６】
次に請求項６にあっては扉取付部材の天板下面または底板上面に当接状態で取着される第１、第２取着板部により取着板部を形成しこれら第１、第２取着板部から夫々曲設された短脚、長脚板部と、これら短脚、長脚板部の各端部に跨装された連設板部とにより連設部を形成し、当該連設板部の前面側には、前記天板下面または底板上面に対して、扉取付部材の扉側へ向け所定の上昇傾斜角をもって、スライドヒンジ本体に連着自在である傾斜連着用板部を設けると共に、当該傾斜連結用板部には連着用螺子が螺装されていることを特徴とするスライドヒンジの座金。
【００１７】
さらに請求項７の場合には扉取付部材の天板下面に当接状態で取着される取着板部の第１、第２取着板部には夫々第１、第２取着用孔を設け、これら第１、第２取着板部から扉取付部材の扉側と奥側にあって夫々曲設された短脚、長脚板部の下端前面側には、第１、第２連装用突板部を形成し、これら短脚、長脚板部と第１、第２連装用突板部の各下端には連設板部を跨設することで連設部が形成され、当該連設板部と第１、第２連装用突板部の前面側には、前記天板下面に対して、扉取付部材の扉側へ向けて所定の上昇傾斜角をもって、スライドヒンジ本体のコ字状内嵌凹部に嵌合して連着自在である傾斜連着用板部を設けると共に、当該傾斜連着用板部には、扉取付部材の奥側における滑り止め面にあって螺合された固定螺子と、扉側にあって螺合された扉幅員方向調整螺子とによる連着用螺子が螺装されていることを特徴とするスライドヒンジの座金が、その内容である。
【００１８】
そして請求項８では扉取付部材の底板上面に載接状態で取着される取着板部の第１、第２取着板部には夫々第１、第２取着用孔を設け、これら第１、第２取着板部から扉取付部材の扉側と奥側にあって夫々曲設された長脚、短脚板部の上端前面側には、第１、第２連装用突板部を形成し、これら短脚、長脚板部と第１、第２連装用突板部の各上端には連設板部を跨設することで連設部が形成され、当該連設板部と第１、第２連装用突板部の前面側には、前記底板上面に対して、扉取付部材の扉側へ向けて所定の上昇傾斜角をもって、スライドヒンジ本体のコ字状内嵌凹部に嵌合して連着自在である傾斜連着用板部を設けると共に、当該傾斜連着用板部には、扉取付部材の奥側における滑り止め面にあって螺合された固定螺子と、扉側にあって螺合された扉幅員方向調整螺子とによる連着用螺子が螺装されていることを特徴とするスライドヒンジの座金をその内容としている。
【００１９】
【発明の実施の形態】
本願に係る請求項１につき特に図１ないし図３によって以下詳記すると、各種のキャビネット等による扉取付部材Ａとしては、既知の如く天板ａと底板ｂそして左右の側板ｃ１、ｃ２および背板ｄとにより開口部ｅが開設されているが、図３に例示されている通り当該開口部ｅが底板ｂから天板ａに向けて鉛直面として形成の直立周端枠縁ｅ１によって画成されている。
そしてこの種の開口部ｅを閉成する扉ｆは、既知のスライドヒンジＢを介して扉取付部材ａに枢支されることとなり、閉扉状態では扉ｆが上記開口部ｅの周端枠縁ｅ１に当接して閉扉状態となる。
【００２０】
本発明は上記の如きスライドヒンジＢのソケットＢ１を扉ｆの裏面に嵌合取着し、ソケットＢ１に連枢のスライドヒンジ本体Ｂ２を、予め扉取付部材Ａに取着することとなる座金に関するもので、図１と図２そして図３を参照して理解される通り、扉取付部材Ａの天板下面ａ１または底板上面ｂ１に当接状態として螺子止め等の手段により取着されることになる取着板部１と、この取着部材１に連設された連設部２と、この連設部２における前面側Ｄ１に設けられた横向連着用板部３Ａと、これに螺装されて、スライドヒンジ本体Ｂ２を連着するために用いられる連着用螺子４とによって構成されている。
ここで、図１（Ａ）には天板下面ａ１に取着するための上位側用である座金が示され、図１（Ｂ）は当該座金に、スライドヒンジ本体Ｂ２を連着用螺子４により螺着した状態の斜視図であり、図２（Ａ）にあっては底板上面ｂ１に取着するための座金を示し、同図（Ｂ）には、これにスライドヒンジＢが取着された場合が開示されている。
【００２１】
さて、請求項１では前記した横向連着用板部３Ａが、連設部２を天板下面ａ１または底板上面ｂ１に対して、止め螺子とか溶着等の手段で取着した際、扉取付部材Ａの扉側Ｄ２へ向け平行状態にて、スライドヒンジ本体Ｂ２が連着自在となるよう予め設定されているのである。
従って当該発明によるときは、取着板部１を天板下面ａ１もしくは底板上面ｂ１に取着しさえすれば、横向連着用板部３が横向状態をもって配設されることとなり、この結果これに連着用螺子４によりスライドヒンジ本体Ｂ２を、労せずして水平状態となるよう当該所望の傾斜状態にて取着することが可能となる。
【００２２】
次に請求項２につき以下説示すると、ここでは請求項１における取着板部１が第１、第２取着板部１ａ、１ｂからなり、さらに連設部２が一対の第１、第２脚板部２Ａ、２Ｂそして連設板部２ｃとによって形成されている点で相違している。
すなわち図１、図２に明示されている通り、扉取付部材Ａの天板下面ａ１または底板上面ｂ１に当接して取着した一対の第１、第２取着板部１ａ、１ｂを連設している連設部２が、第１、第２取着板部１ａ、１ｂの一側端から夫々曲折されている第１、第２脚板部２Ａ、２Ｂと、これらの各端部間に跨装された連設板部２ｃとによって形成されているのである。
そして上記連設板部２ｃの前面側Ｄ１、すなわち取着作業時にあって作業者側に面する側には、前記と同じく天板下面ａ１または底板上面ｂ１に対して、扉側Ｄ２に向け平行状態にて、スライドヒンジ本体Ｂ２が連着自在な横向連着用板部３Ａが設けられ、これには連着用螺子４が備えられている。
【００２３】
従って請求項２によるときは、前記請求項１の作用効果を発揮すると共に、第１、第２取着板部１ａ、１ｂによって扉取付部材Ａに対する安定した取着が保証され、全体を軽量にして、かつ強度を確保し易くし、また第１、第２脚板部２Ａ、２Ｂの寸法を同等に形成するだけで、労せずに扉ｆを扉取付部材Ａの直立周端枠縁ｅ１に対して、当接状態で閉扉させることが可能となる。
【００２４】
さらに請求項３にあっては前記した天板下面ａ１に取着するための座金に関し、これもその基本的構成は請求項１そして請求項２の内容と同じであるが、請求項２と相違する点は以下の通りである。
先ず前記した第１、第２取着板部１ａ、１ｂに、夫々第１、第２取着用孔１ｃ、１ｄが穿設されることで螺子止めによる取着が行い易くしてあるだけでなく、同じく第１、第２取着板部１ａ、１ｂの奥側Ｄ３と、その反対の扉側Ｄ３にあって夫々曲設した第１、第２脚板部２Ａ、２Ｂの下端における前面側Ｄ１には、第１、第２連装用突板部２ｄ、２ｅを突設するのであり、上記第１、第２脚板部２Ａ、２Ｂと第１、第２連装用突板部２ｄ、２ｅとの下端には、連設板部２ｃが跨設されている。
【００２５】
そして上記の第１、第２連装用突板部２ｄ、２ｅと連設板部２ｃとの前面側Ｄ１にあって、前説した横向連着用板部３Ａを設けるのであり、これは請求項１、２と同じく水平状態に形成されている。
しかも上記の横向連着用板部３Ａは、前記した第１、第２連装用突板部２ｄ、２ｅの前面側Ｄ１に形成されていることから、スライドヒンジ本体Ｂ２におけるコ字状内嵌凹所Ｂ３に嵌合した状態にあって、連着自在となっている。
上記の連着手段としては従来より各種のものが存しているが、請求項３に開示のものは、前記した横向連着用板部３Ａに螺装されている連着用螺子４として、扉取付体Ａの奥側Ｄ３にあって、当該横向連着用板部３Ａに形成の滑り止め面３ａにおいて螺合された固定螺子４ａと、扉側Ｄ２にあって螺合するようにした扉幅員方向調整螺子４ｂとによって構成するようにしてある。
【００２６】
上記の連着用螺子４として図示されたものは、それ自体既知の通りであるが因みに説示すれば、固定螺子４ａと扉幅員方向調整調子４ｂを、スライドヒンジ本体Ｂ２のコ字状内嵌凹所Ｂ３における背板部Ｂ５に穿設した夫々固定用孔Ｂ５と調整用孔Ｂ６とに嵌入かつスライドさせることで、第１、第２細成湾入口Ｂ７、Ｂ８に係入し、当該係入状態下で固定螺子４ａ、扉幅員方向調整螺子４ｂを締着すればよい。
この際凹凸条溝等によって形成した滑り止め面３ａと押当する位置にあって、スライドヒンジ本体Ｂ２の側にも通常滑り止め面が形成されており、また扉幅員方向調整螺子４ｂには、図５（Ｂ）に明示されている通りの係嵌周溝４ｃが形成され、これに第２細成湾入口Ｂ８の形成されている段落額縁Ｂ９が係嵌するよう形成されている。従って扉幅員方向調整螺子４ｂを回動調整することによって、扉ｆをその幅員方向へ変動することで扉取付部材Ａの開口部ｅにおける周端枠縁ｅ１に対し位置合わせができるようにしてある。
【００２７】
そして請求項４の場合にあっては、図２に示す通り底板上面ｂ１に取着するための座金を示しており、ここでは上記した請求項３に比し基本的な相違点はなく、図１と図２との対比によって理解される通り、図１（Ａ）の座金を１８０度回動して逆転状態とすれば、底板上面ｂ１に取着することができるが、この際連着用螺子４としての固定螺子４ａと扉幅員方向調整螺子４ｂの横向連着用板部３Ａにおける配設位置が、逆転することとなる。
すなわち図１の場合とは逆に、第１脚板部２Ａ側にあって滑り止め面３ａや固定螺子４ａが設けられ、他の第２脚板部２Ｂ側に扉幅員方向調整螺子４ｃが螺装されることになるのである。
そして、上記構成による作用についても当然本質的には請求項３の場合と同じであることから、ここでの説示は省略されている。
【００２８】
次に請求項５につき特に図４ないし図６によって以下詳記すると、パチンコスロットマシンや各種のキャビネット等による扉取付部材Ａ１としては、前説図３と同じく天板ａと底板ｂそして左右の側板ｃ１、ｃ２および背板ｄとにより開口部ｅが開設されているが、ここでは図６に例示されている通り当該開口部ｅが底板ｂから天板ａに向けて傾斜面として形成の周端枠縁ｅ２によって画成されている。
そしてこの種の開口部ｅを閉成する扉ｆは、既知のスライドヒンジＢを介して扉取付部材ａに枢支されることとなり、閉扉状態では扉ｆが上記開口部ｅの周端枠縁ｅ２に押当するが、この際扉ｆは図３につき前説の通り、手を離すだけで自重により閉扉動可能となる。
【００２９】
本発明でもスライドヒンジＢのソケットＢ１を扉ｆの裏面に嵌合取着し、ソケットＢ１に連枢のスライドヒンジ本体Ｂ２を、予め扉取付部材Ａに取着することとなる座金に関するもので、図４と図５そして図６を参照して理解される通り、扉取付部材Ａ１の天板下面ａ１または底板上面ｂ１に当接状態として螺子止め等の手段により取着されることになる取着板部１と、この取着部材１に連設された連設部３Ｂと、この連設部２における前面側Ｄ１に設けられた傾斜連着用板部３と、これに螺装されて、スライドヒンジ本体Ｂ２を連着するために用いられる連着用螺子４とによって構成されている。
ここで、図４（Ａ）には天板下面ａ１に取着するための上位側用である座金が示され、図４（Ｂ）は当該座金に、スライドヒンジ本体Ｂ２を連着用螺子４により螺着した状態の斜視図であり、図５（Ａ）にあっては底板上面ｂ１に取着するための座金を示し、同図（Ｂ）には、これにスライドヒンジＢが取着された場合が開示されている。
【００３０】
さて、請求項５では前記した傾斜連着用板部３Ｂが、連設部２を天板下面ａ１または底板上面ｂ１に対して、止め螺子とか溶着等の手段で取着した際、扉取付部材Ａ１の扉側Ｄ２へ向けて所定の上昇傾斜角αをもって、スライドヒンジ本体Ｂ２が連着自在となるよう予め設定されているのである。
従って当該発明によるときは、取着板部１を天板下面ａ１もしくは底板上面ｂ１に取着しさえすれば、傾斜連着用板部３Ｂが所要の上昇傾斜角αをもって配設されていることとなり、この結果これに連着用螺子４によりスライドヒンジ本体Ｂ２を、労せずして当該所望の傾斜状態にて取着することが可能となる。
【００３１】
次に請求項６につき以下説示すると、ここでは請求項５における取着板部１が第１、第２取着板部１ａ、１ｂからなり、さらに連設部２が短脚板部２ａ、長脚板部２ｂそして連設板部２ｃとによって形成されている点で相違している。
すなわち図４、図５に明示されている通り、扉取付部材Ａの天板下面ａ１または底板上面ｂ１に当接して取着した一対の第１、第２取着板部１ａ、１ｂを連設している連設部２が、第１、第２取着板部１ａ、１ｂの一側端から夫々曲折されている短脚、長脚板部２ａ、２ｂと、これらの各端部間に跨装され連設板部２ｃとによって形成されているのである。
そして上記連設板部２ｃの前面側Ｄ１、すなわち取着作業時にあって作業者側に面する側には、前記と同じく天板下面ａ１または底板上面ｂ１に対し、扉側Ｄ２に向け所定の上昇傾斜角αをもって、スライドヒンジ本体Ｂ２が連着自在な傾斜連着用板部３Ｂが設けられ、これには連着用螺子４が備えられている。
【００３２】
従って請求項６によるときは、前記請求項５の作用効果を発揮すると共に、第１、第２取着板部１ａ、１ｂによって扉取付部材Ａに対する安定した取着が保証され、全体を軽量にして、かつ強度を確保し易くし、また短脚、長脚板部２ａ、２ｂの寸法とか、これらと第１、第２取着板部１ａ、１ｂとのなす第１、第２折曲角β１、β２を適宜調整することで、前説の上昇傾斜角αを所要の角度に調整することができる。
【００３３】
さらに請求項７にあっては前記した天板下面ａ１に取着するための座金に関し、これもその基本的構成は請求項５そして請求項６の内容と同じであるが、請求項６と相違する点は以下の通りである。
先ず前記した第１、第２取着板部１ａ、１ｂに、夫々第１、第２取着用孔１ｃ、１ｄが穿設されることで螺子止めによる取着が行い易くしてあるだけでなく、同じく第１、第２取着板部１ａ、１ｂの奥側Ｄ３と、その反対の扉側Ｄ３にあって夫々曲設した短脚、長脚板部２ａ、２ｂの下端における前面側Ｄ１には、第１、第２連装用突板部２ｄ、２ｅを突設するのであり、上記短脚、長脚板部２ａ、２ｂと第１、第２連装用突板部２ｄ、２ｅとの下端には、連設板部２ｃが跨設されている。
【００３４】
そして上記の第１、第２連装用突板部２ｄ、２ｅと連設板部２ｃとの前面側Ｄ１にあって、前説した傾斜連着用板部３Ｂを設けるのであり、この際請求項１、２と同じく所定の上昇傾斜角αをもって傾斜状態に保持される。
しかも上記の傾斜連着用板部３は、前記した第１、第２連装用突板部２ｄ、２ｅの先端側Ｄ１に形成されていることから、スライドヒンジ本体Ｂ２におけるコ字状内嵌凹所Ｂ３に嵌合した状態にあって、連着自在となっている。
上記の連着手段としては従来より各種のものが存しているが、請求項７に開示のものは、前記した傾斜連着用板部３Ｂに螺装されている連着用螺子４として、扉取付体Ａの奥側Ｄ３にあって、当該傾斜連着用板部３に形成した滑り止め面３ａにおいて螺合された固定螺子４ａと、扉側Ｄ２にあって螺合するようにした扉幅員方向調整螺子４ｂとによって構成するようにしてある。
なお上記の連着用螺子として図示されたものも、既に説示したように従来技術に基づく構成となっている。
【００３５】
そして請求項８の場合にあっては、図５に示す通り底板上面ｂ１に取着するための座金を示しており、ここでは上記した請求項７に比し基本的な相違点はなく、図１と図２との対比によって理解される通り、図１（Ａ）の座金を１８０度回動して逆転状態とすれば、底板上面ｂ１に取着することができるが、この際連着用螺子４としての固定螺子４ａと扉幅員方向調整螺子４ｂの傾斜連着用板部３における配設位置が、逆転することとなる。
すなわち図４の場合とは逆に、短脚板部２ａ側にあって滑り止め面３ａや固定螺子４ａが設けられ、長脚板部２ｂ側に扉幅員方向調整螺子４ｃが螺装されることになるのである。
そして、上記構成による作用についても当然本質的には請求項７の場合と同じであることから、ここでの説示は省略されている。
【００３６】
さて、ここで本発明については以上の説示によって理解されるところであるが、図示されているスライドヒンジＢにつき以下略説することにより、本発明を理解し易くするための一助としたい。
ここで図７ないし図８は何れも底板上面ｂ１に取着するための斜着用である座金を示しており、図５（Ｂ）を基準とした場合には、図７（Ａ）が下面図であり、図８（Ａ）は図７（Ａ）の平面図で、さらに図９（Ａ）は図８（Ａ）を反転倒置して示した一部を切欠の開扉状態における平面図を示すことになる。
そして上記したスライドヒンジ本体Ｂ２の第１ヒンジ枢支ｇ１とソケットＢ１の第１ソケット枢支ピンｇ２との間には、第１アームｈ１が連枢されていると共に、第２ヒンジ枢支ピンｉ１と第２ソケット枢支ピンｉ２との間にあって第２アームｈ２が連枢されており、特に図９等によって理解される通り、スライドヒンジ本体Ｂ２に上記の如く連枢されているソケットＢ１を、扉の裏面にあって嵌合すると共に、その取着片ｊを、取着孔ｋを用いて扉ｆに螺子止めし、前記の如く扉取付部材Ａに取着した座金に対して、スライドヒンジ本体Ｂ２を連着することとなる。
【００３７】
【発明の効果】
本発明は以上のようにして構成されているので、請求項１によるときは、扉取付部材の天板下面か底板上面に取着するだけで、横向連着用板部が、労せずして水平状態に設定されることになり、従って従来の座金のように、作業者が水平状態を確認しながら取着する場合に比し、その労力を軽減し得るのはもちろん、扉は底板上面と天板下面に取着された座金に連結されたスライドヒンジを介して開閉自在なるよう枢支されることから、従来の側板に取着される座金の場合に比し、重い扉に対しても充分な取着強度が得られ、その耐久性をも向上させることができる。
【００３８】
次に請求項２では、上記した請求項１による効果を発揮し得るだけでなく、その構成を第１、第２取着板部と第１、第２脚板部、そして横向連着用板部とにより適切に形成するようにしたので、軽量化と量産化を図ることができ、取着作業の行い易いものが提供可能となる。
【００３９】
また請求項３によるときは、さらに上記した第１、第２脚板部から第１、第２連装用突板部を突設し、これに横向連着用板部を設けるようにしたので、スライドヒンジ本体のコ字状内嵌凹所に上記傾斜連着用板部を嵌め込んだ状態で作業ができるようになり、作業性がさらに改善されると共に、連設強度も向上できる。さらに滑り止め面を有効に利用した連着螺子による締着となるので、この点からもスライドヒンジ本体との連着状態につき、その信頼性を高めることができる天板下面用の斜着用座金を提供することが可能となる。
そして請求項４にあっては、上記の請求項３における滑り止め面とは違った位置にあって、横向連着用板部に滑り止め面を配設するだけで、底板上面用の座金を提供でき、請求項３と同等の効果を発揮することができる。
【００４０】
次に請求項５によるときは、扉取付部材の天板下面か底板上面に取着するだけで、傾斜連着用板部が、所定の上昇傾斜角に労せずして設定されることになり、従って従来の座金のように、当該上昇傾斜角を測定しながら作業者が取着する場合に比し、格段にその労力を軽減し得ると共に、その作業時間も大幅に短縮することができる。
【００４１】
次に請求項６では、上記した請求項５による効果を発揮し得るだけでなく、その構成を第１、第２取着板部と短脚、長脚板部、そして傾斜連着用板部とにより適切に形成するようにしたので、軽量化と量産化を図ることができ、取着作業の行い易いものが提供可能となる。
【００４２】
また請求項７によるときは、さらに上記した短脚、長脚板部から第１、第２連装用突板部を突設し、これに傾斜連着用板部を設けるようにしたので、スライドヒンジ本体のコ字状内嵌凹所に上記傾斜連着用板部を嵌め込んだ状態で作業ができるようになり、作業性がさらに改善されると共に、連設強度も向上できる。さらに滑り止め面を有効に利用した連着螺子による締着となるので、この点からもスライドヒンジ本体との連着状態につき、その信頼性を高めることができる天板下面用の斜着用座金を提供することが可能となる。
そして請求項８にあっては、上記の請求項３における滑り止め面とは違った位置にあって、傾斜連着用板部に滑り止め面を配設するだけで、底板上面用の座金を提供でき、請求項７と同等の効果を発揮することができる。
【図面の簡単な説明】
【図１】（Ａ）は請求項１ないし請求項４に係るスライドヒンジの天板下面用である座金を示す斜視図で、（Ｂ）は当該座金をスライドヒンジに取着した状態を示す斜視図である。
【図２】（Ａ）は同上スライドヒンジの床板下面用である座金を示す斜視図で、（Ｂ）は当該座金をスライドヒンジに取着した状態を示す斜視図である。
【図３】（Ａ）は図１と図２に示した座金を用いてスライドヒンジを扉取付部材と扉との間に連枢した状態を示す開扉状態の斜視図で、（Ｂ）は同上閉扉状態の斜視図である。
【図４】（Ａ）は請求項５ないし請求項８に係るスライドヒンジの天板下面用である座金を示す斜視図で、（Ｂ）は当該傾斜用座金をスライドヒンジに取着した状態を示す斜視図である。
【図５】（Ａ）は本発明に係る同上スライドヒンジの床板下面用での座金を示す斜視図で、（Ｂ）は当該座金をスライドヒンジに取着した状態を示す斜視図である。
【図６】（Ａ）は図５と図６に示した座金を用いてスライドヒンジを扉取付部材と扉との間に連枢した状態を示す開扉状態の斜視図で、（Ｂ）は同上閉扉状態の斜視図である。
【図７】（Ａ）は前記した底板上面用である座金にスライドヒンジに取着した状態を示す正面図で、（Ｂ）は、その底面図である。
【図８】（Ａ）は図７（Ａ）の逆向正面図で、（Ｂ）は、その底面図である。
【図９】（Ａ）は図８（Ａ）の上下を反転した状態の一部を切欠して示した正面図で、（Ｂ）は扉取付部材に対し扉を閉じた状態を示す一部切欠の正面図である。
【符号の説明】
１    取着部材
１ａ  第１取着部
１ｂ  第２取着部
１ｃ  第１取着用孔
１ｄ  第２取着用孔
２    連設部
２Ａ  第１脚板部
２Ｂ  第２脚板部
２ａ  短脚板部
２ｂ  長脚板部
２ｃ  連設板部
２ｄ  第１連装用突板部
２ｅ  第２連装用突板部
３Ａ  横向連着用板部
３Ｂ  傾斜連着用板部
３ａ  滑り止め面
４    連着用螺子
４ａ  固定螺子
４ｂ  扉幅員方向調整螺子
Ａ    扉取付部材
Ａ１  扉取付部材
ａ１  天板下面
Ｂ２  スライドヒンジ本体
Ｂ３  コ字状内嵌凹所
ｂ１  底板上面
Ｄ１  前面側
Ｄ２  扉側
Ｄ３  奥側
α    上昇傾斜角
【図１】
0004014799.tif 000002
【図２】
0004014799.tif 000003
【図３】
0004014799.tif 000004
【図４】
0004014799.tif 000005
【図５】
0004014799.tif 000006
【図６】
0004014799.tif 000007
【図７】
0004014799.tif 000008
【図８】
0004014799.tif 000009
【図９】
0004014799.tif 000010